(57)【要約】【課題】薄板軽量形鋼で各枠材を構成してなるスチールハウスにおいて、水平力が作用するとき、水平変形ならびに縦枠材に作用する引き抜き力を低減できる開口壁の補強構造を提供する。【解決手段】間隔をあけて設けた、まぐさ受け取付け用縦枠材２２と、これに両端部を固着した開口部上枠材１８及び開口部下枠材２４で開口部８の４辺を構成し、各辺の枠材および、各辺の外側の枠材に構造用面材を固着して垂壁２６と腰壁２７と側面壁２８を構成し、開口部上枠材１８および開口部下枠材２４の延長上に位置するように、補強用枠材２９ａを固着し、また、前記縦枠材２２を貫通する接続用鋼材３３を、開口部上枠材１８及び開口部下枠材と補強用枠材２９ａに固着し、補強用枠材２９ａに側面壁２８をドリルねじで固着して、垂壁２６と側面壁２８および、腰壁２７と側面壁２８を相互にせん断力伝達可能に結合する。【選択図】図１
2005054353.tif 000002
【特許請求の範囲】
耐力壁構造
【請求項１】
下枠材と上枠材との間に所定間隔で立設した、まぐさ受け取付け用縦枠材と、前記両まぐさ受け取付け用縦枠材に両端部を固着した開口部上枠材および開口部下枠材とで開口部の４辺を構成し、前記各辺の枠材および、各辺の外側に配置の枠材に構造用面材をドリルねじで固着してなる垂壁と腰壁と側面壁からなり、薄板軽量形鋼で前記各枠材を構成してなるスチールハウスにおいて、開口部上枠材および開口部下枠材の延長上に位置するように接続金物を設置し、この接続金物に側面壁をドリルねじで固着することで、当該接続金物を介して垂壁と側面壁および、腰壁と側面壁が相互にせん断力伝達可能に結合されていることを特徴とするスチールハウスにおける開口壁の補強構造。
【請求項２】
前記の接続金物は、開口部上枠材および開口部下枠材の延長上ににおいて、前記開口部上枠材および開口部下枠材とほぼ同一断面形状の補強用枠材を前記開口部上枠材および開口部下枠材に接合して構成し、当該補強用枠材に側面壁をドリルねじで固着することで、当該補強用枠材を介して垂壁と側面壁および、腰壁と側面壁が相互にせん断力伝達可能に結合されていることを特徴とする請求項１記載のスチールハウスにおける開口壁の補強構造。
【請求項３】
前記の接続金物は、開口部の上下枠材の延長上において、前記開口部の上下枠材とほぼ同一断面形状の補強用枠材を設置し、まぐさ受け取付け用縦枠材に開設の孔に挿通し、前記孔から突出する一端側を開口部上枠材および開口部下枠材に固着し、他端側を前記補強用枠材に固着した所定長のＬ形鋼等からなる接続用鋼材で構成し、前記補強用枠材に側面壁をドリルねじで固着することで、前記接続用鋼材と補強用枠材を介して、垂壁と側面壁および、腰壁と側面壁が相互にせん断力伝達可能に結合されていることを特徴とする請求項１記載のスチールハウスにおける開口壁の補強構造。
【発明の詳細な説明】
【０００１】
【発明の属する技術分野】
本発明は、スチールハウス（板厚１ｍｍ前後の薄板軽量形鋼による枠材と、この枠材に構造用面材を組合わせて構成される鉄骨系パネル構造の建物をスチールハウスと定義する）における開口壁の補強構造に関するものである。
【０００２】
【従来の技術】
前記の枠材は、薄鋼板をロールフォーミングにより成形して溝形、リップ付き溝形、ボックス形等の断面形状とし、巾寸法なども所定の使用に合わせて成形するもので、施工する時は、１本物の枠材で使用し、又は複数本の枠材をドリルねじで接合した補強枠材とし、これら各鋼材どうしをドリルねじで接合して建物の主架構を構築する。
【０００３】
図１、図２、図３によって、従来のスチールハウス工法による構造を説明する。下枠材１から複数の縦枠材２が所定の間隔をあけて立ち上がっており、各縦枠材２の上端は上枠材３で結合されており、この下枠材１と縦枠材２と上枠材３で構成される壁枠材に構造用面材７（図３に示す）をドリルねじ２３で固着して構成されている。建物には、出入口８ａ、窓８ｂなどの開口部８が形成されている。
【０００４】
構造用面材７を取付ける上枠材３には、側根太５ａと端根太５ｂが支持されていて、両根太が矩形に組まれている。そして、側根太５ａと平行して複数の床根太１０が所定間隔で設けられていて、床根太１０の両端は前後の端根太５ｂまたは、床梁１２にそれぞれ受け金物１１を介して結合されている。側根太５ａ、端根太５ｂ、床根太１０および床梁１２に合板等の構造用面材１３を敷き詰めて床パネル１４が構成される。図１において、１０ａは床開口部端根太、１０ｂは床開口部側根太、１０ｃは根太受け金物、１０ｄはころび止めである。
【０００５】
このスチールハウス工法（ＳＨ工法という）による建物において、出入口８ａ、８ｂなどの開口部８には縦枠材２が存在しないことから、この開口部８においては、屋根等の上階からの鉛直荷重を支える縦方向の支持柱がなく、開口部８の部位は強度的に弱くなる。このため、開口部８の上部を補強する必要があり、開口部８の上にまぐさ１５を設ける。
【０００６】
図２に示すように、窓８ｂ（開口部８）のまぐさ１５の上下に上枠材３とまぐさ枠材１７が設けられ、まぐさ枠材１７と開口部上枠材１８の間にまぐさ部縦枠材１９が設けられ、まぐさ１５の両端が、まぐさ受け２０にまぐさ受け金物２１を介して取付けられ、まぐさ受け２０は、まぐさ受け取付け用縦枠材２２に固着されている。まぐさ受け取付け用縦枠材２２の下端と上端は、下枠材１と上枠材３にドリルねじ２３で固着されている。図２において、開口部下枠材２４は、下端を下枠材１に固着した開口下部縦枠材２５の上端で支持されている。２４ａは受け部材である。
【０００７】
図３に示すように、開口部下枠材２４とその上方に配置の各枠材には、構造用面材がドリルねじ２３で固着されて垂壁２６を構成している。また、開口部下枠材２４とその下方に配置の各枠材には構造用面材がドリルねじ２３で固着されて腰壁２７を構成している。さらに、まぐさ受け取付け用縦枠材２２とその両外側の枠材（縦枠材２ａ）には、構造用面材がドリルねじ２３で固着されて側面壁２８を構成している。
【０００８】
前記のように開口部８の上下左右の４辺には、各辺側に配置の枠材を介して垂壁２６と腰壁２７と側面壁２８が配置されることで当該開口部８が構成されているが、この開口部８内には枠材（支持柱）が存在しないことから、当該開口部８の周辺は地震等により水平力が作用したとき強度が不足して変形しやすく、このとき開口部８の４辺、つまり矩形の各辺の枠材とその外側に位置する枠材が横移動して、開口部８の両側に位置する、左右のまぐさ受け取付け用縦枠材２２には引抜力と圧縮力が作用する。
【０００９】
この場合、開口部８の周辺に取付けられる構造用面材からなる垂壁２６及び腰壁２７と側面壁２８が相互に剛結合されていれば、各壁が耐力壁として機能し、開口部周辺の枠材の水平力移動を制止する機能を有するはずである。しかし、従来はそれとは反対に、地震等の水平力による垂壁２６及び腰壁２７の挙動が側面壁２８およびその外側の耐力壁に影響を及ぼさないように、相互間が緩い接合とされている。このときの垂壁２６及び腰壁２７の挙動と、側面壁２８の相互の挙動は図４（ａ）、図５（ａ）のようになり、側面壁２８の揺動に伴うせん断力は垂壁２６及び腰壁２７に伝達されず、したがって、側面壁２８は垂壁２６及び腰壁２７とは別に単独で揺動する（これの問題点については［００１２］以下で説明する）。
【００１０】
その他の従来技術（１）として、特開２０００−２３４４０６「壁構造及び面材貼設方法」がある。この従来技術（１）は、側面壁（袖壁）の面材の目地部を垂壁の合板の位置とずらす方法である。従来技術（２）として、特開２００１−１６４６４５「木造住宅の計算方法及びこれを利用して建築木造住宅」がある。この従来技術（２）は、腰壁と垂壁の計算のみ開示である。従来技術（３）として、特開２００２−３８６３０「木造住宅」がある。この従来技術（３）は、在来木造の構造体に合板を貼り、腰壁と垂壁の耐力を見込むようにしているが、本発明のような骨組（枠材）の接合構造を開示しておらず、本発明の課題である、腰壁と垂壁に耐力壁として作用させるための構成に適用できない。
【００１１】
【特許文献１】
特開２０００−２３４４０６号公報
【特許文献２】
特開２００１−１６４６４５号公報
【特許文献３】
特開２００２−３８６３０号公報
【００１２】
【発明が解決しようとする課題】
図４（ａ）に示すように、従来は、地震等により垂壁２６及び腰壁２７と側面壁２８（耐力壁）が水平移動するとき、垂壁２６及び腰壁２７の挙動が側面壁２８（耐力壁）に悪影響を及ぼさないことを前提にしており、垂壁２６と側面壁２８の間、腰壁２７と側面壁２８の間は緩い接合構造であり、この場合、垂壁２６及び腰壁２７の挙動と側面壁２８の相互の挙動は、前述の図５（ａ）のようになった。
【００１３】
すなわち、開口部両側の側面壁２８の相互間は、せん断力伝達機構的には、開口部８とその上下の垂壁２６と腰壁２７で切断されており、したがって、両側面壁２８は横揺れに対しての抵抗が小さくなり、水平変形が大きくなる。さらに、図５（ａ）の矢印のように下向きの力（引抜き力）、上向きの力（圧縮力）、右向きの力、左向きの力が交互に循環的に作用し、左右の揺れが大きいほど下向きの力（引抜き力）、上向きの力（圧縮力）が大きくなる。
【００１４】
特に、下向きの力（引抜き力）は、図５（ａ）の点線楕円（ロ）の下向きの矢印の合計であるので、この下向きの力が大きければ、下向きの力（引抜き力）も大きくなる。この引抜き力に抵抗するため（１）側面壁２８（耐力壁）を取付ける縦枠材を大型化する必要があると共に、（２）縦枠材を基礎等に取付けるためのホールダウン金物も堅牢にするため大型化する必要があり、さらに、（３）ホールダウン金物をコンクリート基礎に固着するためのアンカーも太くかつ長くするなどにより強度を高める必要がある。このように引抜力と圧縮力が大であることは、ホールダウン金物、アンカー、縦枠が大型化する。
【００１５】
前記問題の根本は垂壁２６及び腰壁２７と側面壁２８を緩く接合していることにあり、垂壁２６及び腰壁２７は耐力壁としては機能しておらず、この問題を解決しない限り前記の問題は解決できない。
【００１６】
前記の問題を解決するためには、開口部の上下に配置の垂壁２６及び腰壁２７を耐力壁として機能させる。つまり、垂壁２６及び腰壁２７と側面壁２８を相互にせん断力伝達可能に接合することで側面壁２８の挙動を極力押さえ込むことである。これは従来の垂壁２６及び腰壁２７と両側面壁との緩い結合構造とは逆の発想であり、本発明者は、このように従来殆ど作用しなかった垂壁２６及び腰壁２７をせん断パネルとして有効に利用することで、前記側面壁２８の水平変形を抑えることができ、さらに、前記側面壁２８に作用する引抜き力と圧縮力を抑えることができるとの知見を得た。
【００１７】
本発明は、前記の知見に基づいて創案された、スチールハウスにおける開口壁の補強構造を提供することを目的とする。
【００１８】
【課題を解決するための手段】
前記の目的を達成するため、本発明は次のように構成する。
【００１９】
第１の発明は、下枠材と上枠材との間に所定間隔で立設した、まぐさ受け取付け用縦枠材と、前記両まぐさ受け取付け用縦枠材に両端部を固着した開口部上枠材および開口部下枠材とで開口部の４辺を構成し、前記各辺の枠材および、各辺の外側に配置の枠材に構造用面材をドリルねじで固着してなる垂壁と腰壁と側面壁からなり、薄板軽量形鋼で前記各枠材を構成してなるスチールハウスにおいて、開口部上枠材および開口部下枠材の延長上に位置するように接続金物を設置し、この接続金物に側面壁をドリルねじで固着することで、当該接続金物を介して垂壁と側面壁および、腰壁と側面壁が相互にせん断力伝達可能に結合されていることを特徴とする。
【００２０】
第２の発明は、第１の発明における前記の接続金物は、開口部上枠材および開口部下枠材の延長上ににおいて、前記開口部上枠材および開口部下枠材とほぼ同一断面形状の補強用枠材を前記開口部上枠材および開口部下枠材に接合して構成し、当該補強用枠材に側面壁をドリルねじで固着することで、当該補強用枠材を介して垂壁と側面壁および、腰壁と側面壁が相互にせん断力伝達可能に結合されていることを特徴とする。
【００２１】
第３の発明は、第１の発明における前記の接続金物は、開口部の上下枠材の延長上において、前記開口部の上下枠材とほぼ同一断面形状の補強用枠材を設置し、まぐさ受け取付け用縦枠材に開設の孔に挿通し、前記孔から突出する一端側を開口部上枠材および開口部下枠材に固着し、他端側を前記補強用枠材に固着した所定長のＬ形鋼等からなる接続用鋼材で構成し、前記補強用枠材に側面壁をドリルねじで固着することで、前記接続用鋼材と補強用枠材を介して、垂壁と側面壁および、腰壁と側面壁が相互にせん断力伝達可能に結合されていることを特徴とする。
【００２２】
【作用】
本発明によると、スチールハウスの開口壁において、開口部上枠材と開口部下枠材の延長上に接続金物を設け、この接続金物に側面壁をドリルねじで接合することにより、当該接続金物を介して垂壁と腰壁と側面壁をせん断力伝達可能に結合でき、地震等により水平力が作用したとき垂壁と腰壁を耐力壁として機能させることができる。
【００２３】
このように従来分断されていた開口部両側の側面壁が、せん断力を伝達可能に連結されて剛性が増し、側面壁の剛性の増大に伴って、この側面壁が接合される、まぐさ受け取付け用縦枠材と他の縦枠材の水平変形を抑えこむことができる。さらに、開口部の両側に位置する、まぐさ受け取付け用縦枠材と他の縦枠材に作用する引き抜き力と圧縮力を低減でき、結果、（１）縦枠材の小型化、（２）各縦枠材を基礎等に固定するホールダウン金物の小型化、（３）ホールダウン金物を基礎に固定するアンカーの小型化が達成できる。したがって、これら部材の材料コスト低減、施工の容易性などが実現されるもので、これらはせん断パネル理論等により効果を定量化できる。
【００２４】
【発明の実施の形態】
以下、本発明の実施形態を図を参照して説明する。
【００２５】
図６（ａ）、（ｂ）は本発明の基本原理を示す模式図で、これをさらに具体的にした構造を図７、図８に示している。
【００２６】
図６（ａ）、（ｂ）、図７、図８は、スチールハウスにおける窓などの開口部８のある壁３２を示し、開口部８の上部には垂壁２６が設置され、下部には腰壁２７が設置され、両側に側面壁（耐力壁の一部）２８が設置されている。各壁は、薄板軽量形鋼製の枠材に構造用面材をドリルねじで固定して構成されている。さらに詳しくは、垂壁２６では、上枠材３と開口部上枠材１８と、まぐさ部縦枠材１９等に構造用面材をドリルねじで固着している。腰壁２７では、下枠材１と開口部下枠材２４と開口部下縦枠材２５に構造用面材をドリルねじで固着している。側面壁２８では、上枠材３と下枠材１と、まぐさ受け取付け用縦枠材２２および、これと平行に立ち上がる縦枠材２ａに構造用面材をドリルねじで固着している。
【００２７】
さらに、図６の点線楕円部（ハ）内に示すように本発明では、開口部上枠材１８と開口部下枠材２４の延長線上に接続金物２９を設置している。この接続金物２９の具体的構造は任意でよいが、例えば、図７、図８に示すように開口部の上下枠材１８、２４と同一断面形状の薄板軽量溝形鋼からなる補強用枠材２９ａで構成してもよい。さらに、補強用枠材２９ａに、まぐさ受け取付け用縦枠材２２を左右に貫通する所定長のＬ形鋼などで構成される接続用鋼材３３を組み合わせてもよい（詳細は図９、図１０で後に説明する）。
【００２８】
側面壁２８では、構造用面材７を、上枠材３、下枠材１と、まぐさ受け取付け用縦枠材２２と、これの外方に平行に立ち上がる縦枠材２ａにドリルねじ２３で固着することに加えて、接続金物２９にもドリルねじ２３により固着する。したがって、上枠材３、下枠材１と、開口部上枠材１８と開口部下枠材２４に構造用面材がドリルねじ２３で固着された垂壁２６と腰壁２７と側面壁２８とが接続金物２９を介して、せん断力伝達可能に強固に結合されることになる。
【００２９】
図６〜図８に示す構成の開口壁の補強構造において、地震などにより水平力が作用した場合の各壁が変位する態様は図４（ｂ）に示されている。同図において、開口部８の４辺に位置し、矩形を形成する垂壁２６と腰壁２７と両側面壁２８が、下辺３０を固定部としてその上部が左右に水平移動するとき、垂壁２６と両側面壁２８および腰壁２７と両側面壁２８は上下の各接続金物２９を介して堅固に接合されているから、相互間に従来のような開き（図４（ａ）および図５（ａ）に示す）が生じない。つまり、垂壁２６及び腰壁２７と両側面壁２８が相互にせん断力を伝達し合うもので、このとき垂壁２６及び腰壁２７が、せん断パネルとして水平力に抵抗するよう有効に機能し、両側面壁２８の揺動を低減するのに寄与する。したがって、側面壁２８の剛性が大幅に向上する。
【００３０】
図５（ｂ）でさらに説明すると、下辺３０を固定部としてその上部が左右に水平移動するとき、垂壁２６と両側面壁２８および、腰壁２７と両側面壁２８に矢印方向の力が流れる。つまり、垂壁２６と両側面壁２８および、腰壁２７と両側面壁２８は接続金物２９で堅牢に結合されていることで、開口周辺の矩形の壁面で力の伝達が変化し、４つの隅部３１では矢印の力の流れとなる。また、垂壁２６の下端縁の延長線（イ）と腰壁２７の上端縁の延長線（イ）で挟まれる範囲の両側面壁２８に矢印の力が流れる。さらに、垂壁２６と腰壁２７の面内でも矢印の力が流れる。
【００３１】
このように垂壁２６と腰壁２７と両側面壁２８とが、相互に堅牢に結合されていることで、矩形壁面が一体に形成される結果、下辺３０を固定部として上部が水平移動するとき、矩形の枠では図５（ｂ）のように８つに区画された領域で力は矢印の方向に流れ、しかも隣り合う領域では力の方向が逆方向になっていることで、相互に打ち消し合い、又は弱め合うので、力が増幅されて次の区画部へ伝達されることがない。図５（ｂ）において、引抜力は点線の楕円（ロ）の内の矢印の合計であるが、側面壁２８でみた場合、図５（ｂ）と（ａ）の矢印を比較して分るように、本発明のほうが力の方向が弱められていて、下辺３０に下向きの矢印で示す引き抜き力が弱く、これに伴って、下辺３０に上向きの矢印で示す圧縮力も小さくなることが分る。
【００３２】
本発明によると、上向きの力（圧縮力）と下向きの力（引抜き力）が共に小さいので、まぐさ受け取付け用縦枠材２２と縦枠材２ａを小型化できる。また、まぐさ受け取付け用縦枠材２２と縦枠材２ａを基礎等に取付けるためのホールダウン金物も強度は小さくてよいので小型化できる。さらに、ホールダウン金物をコンクリート基礎に固着するためのアンカーも強度は小さくてよいので小型化できる。
【００３３】
図９、図１０を参照して、本発明の詳細な構造を説明する。なお、窓８ｂ（開口部８）の４辺を構成する開口部上枠材１８、開口部下枠材２４、まぐさ受け取付け用縦枠材２２、その隣の縦枠材２ａ等は、図２に示した構成と同じであるので、以下では共通の要素には共通の符号を付して重複説明を省略し、本発明の特徴的な構成について説明する。
【００３４】
図９、図１０において、接続金物２９は、開口部上枠材１８及び開口部下枠材２４と同一断面形状の補強用枠材２９ａと、Ｌ形鋼等の所定長の接続用鋼材３３で構成され、両部材は開口部上枠材１８及び開口部下枠材２４の延長線上に設けられる。さらには補強用枠材２９ａは、まぐさ受け取付け用縦枠材２２の外側面（開口部８と反対の側面）にドリルねじ２３で固着される。接続用鋼材３３は、まぐさ受け取付け用縦枠材２２に開設された孔３４を挿通して、左右にほぼ同寸の長さ延長しており、該接続用鋼材３３の一端側は、溝形鋼からなる開口部上枠材１８及び開口部下枠材２４内に挿入され、他端側は、溝形鋼からなる補強用枠材２９ａ内に挿入されている。
【００３５】
接続用鋼材３３には所定間隔で孔が開設されていて、これに挿通したドリルねじ２３を開口部の上下枠材１８、２４の上下部面に打設することで、接続用鋼材３３を介して、開口部上下枠材１８、２４と補強用枠材２９ａを横方向にずれ動きしないように結合している。
【００３６】
まぐさ受け取付け用縦枠材２２には、配線などのために複数の孔３４が開設されているので、接続用鋼材３３を挿通する孔３４もその配線孔の一つを利用するのがよい。
【００３７】
補強用枠材２９ａと接続用鋼材３３（接続金物２９）を設けた開口部８の壁枠材を構築した後、開口部８の周辺の各枠材に、垂壁２６および腰壁２７の構造用面材と、側面壁２８の構造用面材７を当てがって、開口部８の周辺の壁面を構築する。このとき、垂壁２６と腰壁２７の構造用面材は、接続用鋼材３３の一端側が固着された開口部上枠材１８と開口部下枠材２４にドリルねじ２３で固着される。両側面壁２８の構造用面材７は、まぐさ受け取付け用縦枠材２２とその隣の縦枠材２ａに、ドリルねじ２３で固着するのに加えて、接続用鋼材３３に固着された補強用枠材２９ａにドリルねじ２３で固着される（該部は従来に比べてドリルねじの増し打ち部となる）。
【００３８】
したがって、垂壁２６と両側面壁２８および、腰壁２７と両側面壁２８は上下の接続金物２９によって互いにせん断力を伝達可能に結合され、図５（ｂ）で示した力の伝達経路が形成でき、所期の作用効果が達成される。
【００３９】
なお、各実施形態で示した構成を適宜設計変更して実施することは、本発明の範囲に含まれる。例えば、接続用鋼材３３の断面形状や全体構造は図示以外であってもよい。開口部８を構成する各枠材と、これに取付ける垂壁２６や腰壁２７両側面壁２８は、サッシ等の建具を含めた壁のモジュール化も可能である。
【００４０】
【発明の効果】
本発明によると、スチールハウスの開口壁において、開口部上枠材と開口部下枠材の延長上に接続金物を設け、この接続金物に両側面壁をドリルねじで接合することにより、当該接続金物を介して垂壁と腰壁と両側面壁をせん断力伝達可能に結合でき、地震等により水平力が作用したとき垂壁と腰壁を耐力壁として機能させることができる。
【００４１】
このように従来分断されていた開口部両側の側面壁が、せん断力を伝達可能に連結されて剛性が増しているので、この側面壁の剛性の増大に伴って、該側面壁の水平変形を抑えこむことができる。これにより、開口部の両側に位置する、まぐさ受け取付け用縦枠材とその外側の縦枠材に作用する引き抜き力と圧縮力を低減できる。結果、（１）縦枠材の小型化、（２）各縦枠材を基礎等に固定するホールダウン金物の小型化、（３）ホールダウン金物を基礎に固定するアンカーの小型化が達成できる。したがって、これら部材の材料コスト低減、施工の容易性などが実現される。
【図面の簡単な説明】
【図１】従来例として示すスチールハウスの斜視図である。
【図２】（ａ）、（ｂ）は、開口部枠材（窓枠）の分解斜視図と組立後の斜視図である。
【図３】従来例に係る開口壁の正面図である。
【図４】（ａ）、（ｂ）は、従来例の開口部壁と本発明に係る開口部壁における垂壁と腰壁と両側面壁の変形態様の模式図である。
【図５】（ａ）、（ｂ）は、従来例の開口部壁と本発明に係る開口部壁における垂壁と腰壁と両側面壁の変形時のせん断力の伝達経路図である。
【図６】（ａ）、（ｂ）は、本発明に係る開口壁の模式図と、開口部枠材の模式図である。
【図７】本発明に係る開口部（窓枠）組立後の斜視図である。
【図８】本発明に係る開口壁の正面図である。
【図９】実施形態に係る開口壁の補強構造物の部分斜視図である。。
【図１０】（ａ）、（ｂ）は、図９の（Ａ）部と（Ｂ）部の断面図である。
【符号の説明】
１  下枠材
２  縦枠材
２ａ  縦枠材
３  上枠材
５ａ  側根太
５ｂ  端根太
７  構造用面材
８  開口部
８ａ  出入口
８ｂ  窓
１０  床根太
１０ａ  床開口部端根太
１０ｂ  床開口部側根太
１０ｃ  根太受け金物
１０ｄ  ころび止め
１１  受け金物
１２  床梁
１３  構造用面材
１４  床パネル
１５  まぐさ
１７  まぐさ枠材
１８  開口部上枠材
１９  まぐさ部縦枠材
２０  まぐさ受け
２１  まぐさ受け金物
２２  まぐさ受け取付け用縦枠材
２３  ドリルねじ
２４  開口部下枠材
２４ａ  受け部材
２５  開口部下縦枠材
２６  垂壁
２７  腰壁
２８  側面壁
２９  接続金物
２９ａ  補強用枠材
３０  下辺
３１  隅部
３２  壁
３３  接続用鋼材
３４  孔
【図１】
2005054353.tif 000003
【図２】
2005054353.tif 000004
【図３】
2005054353.tif 000005
【図４】
2005054353.tif 000006
【図５】
2005054353.tif 000007
【図６】
2005054353.tif 000008
【図７】
2005054353.tif 000009
【図８】
2005054353.tif 000010
【図９】
2005054353.tif 000011
【図１０】
2005054353.tif 000012